(57)【特許請求の範囲】
【請求項１】
ドアレールの下面に対向して設けられる基部と、
前記基部に設けられ、前記ドアレールの側面に対向して設けられる側壁部と、
前記側壁部に回転可能に設けられた可動部と
を備え、
前記可動部は、前記可動部が前記側壁部に対して回転することによって、前記ドアレールの上面に対向して設けられる取付位置と、前記側壁部に沿って延びるように設けられる解除位置との間で移動するエレベーターのドアレール清掃治具。
【請求項２】
前記可動部の位置が前記取付位置である場合に、前記可動部を前記ドアレールの上面に向かって押すばねをさらに備えた請求項１に記載のエレベーターのドアレール清掃治具。
【請求項３】
前記基部または前記側壁部に設けられた柄部をさらに備えた請求項１または請求項２に記載のエレベーターのドアレール清掃治具。
【請求項４】
前記柄部は、前記柄部の長手方向についての寸法が調節可能となっている請求項３に記載のエレベーターのドアレール清掃治具。
【請求項５】
前記可動部に設けられ、前記可動部の位置が前記取付位置である場合に、前記ドアレールの上面に接触する給油部材をさらに備えた請求項１から請求項４までの何れか一項に記載のエレベーターのドアレール清掃治具。
【請求項６】
前記可動部には、前記給油部材に供給される潤滑油が流れる油流路が形成されている請求項５に記載のエレベーターのドアレール清掃治具。
【請求項７】
操作されることによって、前記可動部が前記解除位置から前記取付位置に移動するスイッチ部をさらに備えた請求項１から請求項６までの何れか一項に記載のエレベーターのドアレール清掃治具。
【発明の詳細な説明】
【技術分野】
【０００１】
この発明は、ドアレールを清掃するエレベーターのドアレール清掃治具に関する。
【背景技術】
【０００２】
従来、ドアレールの上面に接触する第１研磨部と、第１研磨部を保持する第１保持部材と、ドアレールの下面に接触する第２研磨部と、第２研磨部を保持する第２保持部材とを備えたエレベーターのドアレール清掃治具が知られている。第１保持部材は、ドアレールの上面およびドアレールの一方の側面に対向するように断面Ｌ字形状に形成されている。第２保持部材は、ドアレールの下面およびドアレールの他方の側面に対向するように断面Ｌ字形状に形成されている。第１保持部材の上端部と第２保持部材の上端部とが互いに離れるように第２保持部材が弾性変形することによって、エレベーターのドアレール清掃治具がドアレールに取り付けられる（例えば、特許文献１参照）。
【先行技術文献】
【特許文献】
【０００３】
【特許文献１】特開２０１８−２４４８８号公報
【発明の概要】
【発明が解決しようとする課題】
【０００４】
しかしながら、一対のドアレールが互いに並んで配置されており、一対のドアレールの間の隙間が狭い場合には、第１保持部材の上端部が一対のドアレールの間の隙間を通過することができない。この場合に、エレベーターのドアレール清掃治具をドアレールに取り付けることができない。その結果、ドアレールを清掃することができないという問題点があった。【０００５】
この発明は、上述のような課題を解決するためになされたものであり、その目的は、エレベーターのドアレール清掃治具をドアレールにより確実に取り付けることができるエレベーターのドアレール清掃治具を提供するものである。
【課題を解決するための手段】
【０００６】
この発明に係るエレベーターのドアレール清掃治具は、ドアレールの下面に対向して設けられる基部と、基部に設けられ、ドアレールの側面に対向して設けられる側壁部と、側壁部に回転可能に設けられた可動部とを備え、可動部は、可動部が側壁部に対して回転することによって、ドアレールの上面に対向して設けられる取付位置と、側壁部に沿って延びるように設けられる解除位置との間で移動する。
【発明の効果】
【０００７】
この発明に係るエレベーターのドアレール清掃治具によれば、エレベーターのドアレール清掃治具をドアレールにより確実に取り付けることができる。
【図面の簡単な説明】
【０００８】
【図１】この発明の実施の形態１に係るエレベーターのドアレール清掃治具を示す正面図である。
【図２】図１のエレベーターのドアレール清掃治具の要部を示す斜視図である。
【図３】図１のエレベーターのドアレール清掃治具の要部を示す斜視図である。
【図４】図１のエレベーターのドアレール清掃治具の要部を示す斜視図である。
【図５】図１のエレベーターのドアレール清掃治具がドアレールに取り付けられる手順を示す側面図である。
【図６】この発明の実施の形態２に係るエレベーターのドアレール清掃治具の要部示す正面図である。
【図７】この発明の実施の形態３に係るエレベーターのドアレール清掃治具の要部を示す斜視図である。
【図８】図７のエレベーターのドアレール清掃治具の要部を示す斜視図である。
【図９】この発明の実施の形態４に係るエレベーターのドアレール清掃治具の要部を示す側面図である。
【発明を実施するための形態】
【０００９】
実施の形態１．
図１は、この発明の実施の形態１に係るエレベーターのドアレール清掃治具を示す正面図である。図２は、図１のエレベーターのドアレール清掃治具の要部を示す斜視図である。図３は、図１のエレベーターのドアレール清掃治具の要部を示す斜視図である。図４は、図１のエレベーターのドアレール清掃治具の要部を示す斜視図である。この発明の実施の形態１に係るエレベーターのドアレール清掃治具１Ａは、ドアレール２に取り付けられる清掃治具本体１１と、清掃治具本体１１に取り付けられた柄部１２とを備えている。なお、図２および図４では、柄部１２が示されていない。
【００１０】
ドアレール２としては、乗場側ドアレールおよびかご側ドアレールが挙げられる。ドアレール２が乗場側ドアレールである場合の清掃は、作業者がかごの上に乗って行う清掃、作業者がかごの中に入って行う清掃が挙げられる。ドアレール２がかご側ドアレールである場合の清掃は、作業者が乗場に立って行う清掃が挙げられる。
【００１１】
清掃治具本体１１は、基部１１１と、基部１１１に設けられた側壁部１１２と、側壁部１１２に回転可能に設けられた可動部１１３とを備えている。清掃治具本体１１は、金属、カーボンなどから構成されている。
【００１２】
基部１１１は、清掃治具本体１１がドアレール２に取り付けられた場合に、ドアレール２の下面に対向するように設けられる。基部１１１には、側壁部１１２の下端部が接続されている。言い換えれば、側壁部１１２は、基部１１１から鉛直方向上方に延びて配置されている。
【００１３】
側壁部１１２は、清掃治具本体１１がドアレール２に取り付けられた場合に、ドアレール２の側面に対向するように設けられる。側壁部１１２は、基部１１１に固定されている。可動部１１３は、側壁部１１２の上端部に接続されている。
【００１４】
可動部１１３は、可動部１１３が側壁部１１２に対して回転することによって、取付位置と解除位置との間で移動する。清掃治具本体１１がドアレール２に取り付けられた場合であって、可動部１１３の位置が取付位置である場合に、可動部１１３は、ドアレール２の上面に対向するように設けられる。一方、清掃治具本体１１がドアレール２に取り付けられた場合であって、可動部１１３の位置が解除位置である場合に、可動部１１３は、側壁部１１２に沿って延びるように設けられる。図２では、可動部１１３の位置が取付位置であり、図４では、可動部１１３の位置が解除位置である。
【００１５】
清掃治具本体１１は、可動部１１３の位置が解除位置から取付位置に移動する方向に可動部１１３を押す図示しないばねを備えている。したがって、清掃治具本体１１がドアレール２に取り付けられた場合であって可動部１１３の位置が取付位置である場合に、ばねの弾性力によって、可動部１１３は、ドアレール２の上面に向かって押される。ばねは、側壁部１１２と可動部１１３とに渡って配置されている。
【００１６】
清掃治具本体１１は、ばねの弾性力に逆らって、可動部１１３の位置を解除位置に維持する図示しないストッパを備えている。可動部１１３の位置を解除位置に維持するストッパの力よりも大きな力を加えることによって、ストッパの力が解除される。その結果、可動部１１３は、ばねの弾性力によって、解除位置から取付位置に移動する。したがって、清掃治具本体１１がドアレール２に取り付けられた場合であって可動部１１３の位置が取付位置である場合にのみ、ばねは可動部１１３をドアレール２の上面に向かって押す。
【００１７】
ドアレール２は、下板部２１と、下板部２１に固定された縦板部２２と、縦板部２２に固定された上板部２３とを備えている。下板部２１には、ドアレール２の下面が形成されている。下板部２１には、縦板部２２の下端部が接続されている。言い換えれば、縦板部２２は、下板部２１から鉛直方向上方に延びて配置されている。上板部２３は、縦板部２２の上端部に接続されている。上板部２３には、ドアレール２の上面が形成されている。
【００１８】
ドアレール２の下面は、水平面に沿って配置されている。ドアレール２の上面は、幅方向について中間部が両端部よりも上方に配置されるように、水平面に対して湾曲するように形成されている。ドアレール２は、エレベーターのドアの間口方向に延びるように配置されている。
【００１９】
清掃治具本体１１がドアレール２に取り付けられた場合であって可動部１１３の位置が取付位置である場合にドアレール２の上面に対向する可動部１１３の面は、ドアレール２の上面に沿うように形成されている。
【００２０】
基部１１１には、下板部２１が嵌められる溝１１４が形成されている。下板部２１が溝１１４に嵌められることによって、ドアレール２の板厚方向について、ドアレール２に対して清掃治具本体１１が移動することが制限される。言い換えれば、下板部２１が溝１１４に嵌められることによって、エレベーターのドアの奥行方向について、ドアレール２に対して清掃治具本体１１が移動することが制限される。
【００２１】
柄部１２の先端部は、側壁部１１２に回転可能に取り付けられている。柄部１２が側壁部１１２に対して回転する回転軸には、側壁部１１２に対して垂直方向に延びる回転軸と、側壁部１１２に沿った方向に延びる回転軸とが含まれる。したがって、柄部１２は、側壁部１１２に垂直な回転軸を中心に側壁部１１２に対して回転可能であるとともに、側壁部１１２に沿った回転軸を中心に側壁部１１２に対して回転可能である。柄部１２の基端部は、作業者に把持される。
【００２２】
なお、柄部１２の先端部は、側壁部１１２に対して着脱可能に取り付けられてもよい。また、柄部１２の先端部は、基部１１１に取り付けられてもよい。この場合に、柄部１２の先端部は、基部１１１に対して着脱可能に取り付けられてもよい。また、この場合に、柄部１２の先端部は、基部１１１および側壁部１１２の両方に選択して取り付け可能であってもよい。この場合に、作業者とドアレール２との間の位置関係に応じて、柄部１２の先端部は、基部１１１および側壁部１１２の両方に選択して取り付けられる。
【００２３】
次に、エレベーターのドアレール清掃治具１Ａを用いたドアレール２の清掃について説明する。まず、エレベーターのドアレール清掃治具１Ａがドアレール２に取り付けられる手順について説明する。図５は、図１のエレベーターのドアレール清掃治具１Ａがドアレール２に取り付けられる手順を示す側面図である。図５では、柄部１２が示されていない。図５では、２本のドアレール２がドアレール２の幅方向に互いに並んで配置されている。２本のドアレール２の間の寸法Ｌ１は、可動部１１３における基端部から可動部１１３における先端部までの寸法Ｌ２よりも小さい。ここで、可動部１１３の基端部とは、可動部１１３における側壁部１１２側の端部であり、可動部１１３の先端部とは、可動部１１３における基端部とは反対側の端部である。２本のドアレール２の間の寸法Ｌ１は、可動部１１３の厚さ方向の寸法Ｌ３よりも大きい。なお、ドアレール２の本数は、２本に限らず、３本以上であってもよい。
【００２４】
エレベーターのドアレール清掃治具１Ａをドアレール２に取り付ける場合には、まず、作業者は、可動部１１３の位置を解除位置にする。その後、作業者は、２本のドアレール２の間に可動部１１３を通過させる。
【００２５】
その後、作業者は、可動部１１３を解除位置から取付位置に移動させる。これにより、可動部１１３がドアレール２の上面に接触し、基部１１１がドアレール２の下面に接触する。可動部１１３の位置が取付位置になることによって、可動部１１３がドアレール２の上面に向かって押される。これにより、基部１１１がドアレール２の下面に向かって押される。その結果、エレベーターのドアレール清掃治具１Ａは、ドアレール２に取り付けられる。
【００２６】
エレベーターのドアレール清掃治具１Ａがドアレール２に取り付けられた後、作業者は、柄部１２の基端部を把持して、作業者は、清掃治具本体１１をエレベーターの間口方向に移動させる。これにより、ドアレール２の上面およびドアレール２の下面が清掃される。
【００２７】
ドアレール２の上面の清掃としては、ドアレール２の上面に付着した固化油、埃などの異物の除去が挙げられる。ドアレール２の上面に付着した異物は、清掃治具本体１１の移動方向について前方側を向く可動部１１３の面とドアレール２の上面に対向する可動部１１３の面とによって構成される可動部１１３の角部によってドアレール２の上面から取り除かれる。
【００２８】
ドアレール２の下面の清掃としては、ドアレール２の下面に付着した埃などの異物の除去が挙げられる。ドアレール２の下面に付着した異物は、清掃治具本体１１の移動方向について前方側を向く基部１１１の面とドアレール２の下面に対向する基部１１１の面とによって構成される基部１１１の角部によってドアレール２の下面から取り除かれる。
【００２９】
ドアレール２の上面およびドアレール２の下面が清掃される場合に、ばねの弾性力によって、可動部１１３がドアレール２の上面に押し付けられ、基部１１１がドアレール２の下面に押し付けられる。これにより、ドアレール２の上面およびドアレール２の下面がより確実に清掃される。
【００３０】
エレベーターのドアレール清掃治具１Ａを用いたドアレール２の清掃は、エレベーターの間口方向についてのドアレール２の全領域に渡って行われる。したがって、ドアレール２の長手方向端部においても清掃される。
【００３１】
ドアレール２の清掃が終了した後、作業者は、可動部１１３の位置を取付位置から解除位置に移動させる。これにより、エレベーターのドアレール清掃治具１Ａがドアレール２から取り外し可能となる。エレベーターのドアレール清掃治具１Ａがドアレール２から取り外されることによって、ドアレール２の清掃が終了する。
【００３２】
以上説明したように、この発明の実施の形態１に係るエレベーターのドアレール清掃治具１Ａによれば、可動部１１３は、可動部１１３が側壁部１１２に対して回転することによって、取付位置と解除位置との間で移動する。可動部１１３の位置が解除位置となることによって、可動部１１３が２つのドアレール２の間をより確実に通過することができる。その結果、エレベーターのドアレール清掃治具１Ａをドアレール２により確実に取り付けることができる。
【００３３】
また、エレベーターのドアレール清掃治具１Ａは、可動部１１３の位置が取付位置である場合に、可動部１１３をドアレール２の上面に向かって押すばねを備えている。これにより、可動部１１３の位置が取付位置である場合に、可動部１１３がドアレール２の上面に押し付けられる。その結果、ドアレール２の上面をより確実に清掃することができる。また、ばねが可動部１１３をドアレール２の上面に向かって押すことによって、基部１１１がドアレール２の下面に押される。これにより、基部１１１がドアレール２の下面に押し付けられる。その結果、ドアレール２の下面をより確実に清掃することができる。
【００３４】
また、エレベーターのドアレール清掃治具１Ａは、基部１１１または側壁部１１２に設けられた柄部１２を備えている。これにより、作業者とドアレール２との間の距離が大きい場合であっても、作業者が柄部１２を把持することによって、清掃治具本体１１をドアレール２に対して移動させることができる。
【００３５】
なお、実施の形態１では、可動部１１３がドアレール２の上面に接触し、基部１１１がドアレール２の下面に接触して、清掃治具本体１１がドアレール２を清掃する構成について説明した。しかしながら、可動部１１３とドアレール２の上面との間、および、基部１１１とドアレール２の下面との間に、ウエス、サンドペーパーなどの清掃部材が挟まれた状態で、清掃治具本体１１がドアレール２を清掃する構成であってもよい。使用される清掃部材は、ドアレール２の上面に付着している異物およびドアレール２の下面に付着している異物に対応して選択される。
【００３６】
実施の形態２．
図６は、この発明の実施の形態２に係るエレベーターのドアレール清掃治具の要部示す正面図である。この発明の実施の形態２に係るエレベーターのドアレール清掃治具１Ｂでは、柄部１２は、柄部１２の長手方向について分割された複数の小片部１２１から構成されている。言い換えれば、柄部１２は、柄部１２の長手方向についての寸法が調節可能となっている。
【００３７】
柄部１２の長手方向に隣り合う一方の小片部１２１には、ねじ部が形成されており、他方の柄部１２には、ねじ部が挿入されるねじ溝が形成されている。ねじ部がねじ溝に挿入されることによって、一対の小片部１２１が互いに接続される。その他の構成は、実施の形態２と同様である。
【００３８】
以上説明したように、この発明の実施の形態２に係るエレベーターのドアレール清掃治具１Ｂによれば、柄部１２は、柄部の長手方向についての寸法が調節可能となっている。これにより、作業者とドアレール２との間の距離に対応して、柄部１２の長手方向の寸法を調節することができる。
【００３９】
なお、実施の形態２では、柄部１２の長手方向について分割された複数の小片部１２１から構成された柄部１２について説明した。しかしながら、柄部１２の長手方向についての寸法が調節可能な柄部１２であればよい。
【００４０】
実施の形態３．
図７は、この発明の実施の形態３に係るエレベーターのドアレール清掃治具の要部を示す斜視図である。図８は、図７のエレベーターのドアレール清掃治具の要部を示す斜視図である。この発明の実施の形態３に係るエレベーターのドアレール清掃治具１Ｃでは、清掃治具本体１１は、給油部材１１５をさらに備えている。給油部材１１５は、可動部１１３に着脱可能に取り付けられている。給油部材１１５は、清掃治具本体１１がドアレール２に取り付けられた場合であって可動部１１３の位置が取付位置である場合に、ドアレール２の上面に接触する。給油部材１１５は、例えば、潤滑油を含んだウエスから構成される。
【００４１】
また、可動部１１３には、給油部材１１５に供給される潤滑油が流れる油流路１１６が形成されている。油流路１１６は、可動部１１３の厚さ方向について可動部１１３を貫通するように形成されている。これにより、可動部１１３の位置が取付位置である場合に、作業者が油流路１１６に潤滑油を供給することによって、給油部材１１５に潤滑油が供給される。油流路１１６への潤滑油の供給は、作業者がラッパを使用して行われる。
【００４２】
ドアレール２の上面への潤滑油の供給はドアレール２の上面の清掃が終了した後に行われる。なお、ドアレール２の上面への潤滑油の供給は、ドアレール２の上面の清掃が行われることなく、行われてもよい。
【００４３】
ドアレール２の上面への潤滑油の供給が終了した後に、ドアレール２の上面と可動部１１３との間にウエスなどの油拭き部材が配置された状態で、清掃治具本体１１がエレベーターのドアの間口方向に移動してもよい。これにより、ドアレール２の上面に供給された潤滑油のうちの余分な潤滑油が除去される。その結果、ドアレール２の上面から潤滑油が垂れ流れることが防止される。その他の構成は、実施の形態１および実施の形態２と同様である。
【００４４】
以上説明したように、この発明の実施の形態３に係るエレベーターのドアレール清掃治具１Ｃによれば、可動部１１３に設けられ、可動部１１３の位置が取付位置である場合に、ドアレール２の上面に接触する給油部材１１５を備えている。これにより、ドアレール２の上面に潤滑油を供給することができる。
【００４５】
また、可動部１１３には、給油部材１１５に供給される潤滑油が流れる油流路１１６が形成されている。これにより、給油部材１１５に潤滑油が容易に供給される。
【００４６】
実施の形態４．
図９は、この発明の実施の形態４に係るエレベーターのドアレール清掃治具の要部を示す側面図である。この発明の実施の形態４に係るエレベーターのドアレール清掃治具１Ｄでは、清掃治具本体１１は、側壁部１１２に設けられたスイッチ部１１７を備えている。
【００４７】
スイッチ部１１７が操作されることによって、可動部１１３の位置を解除位置に維持するストッパの力が解除される。したがって、スイッチ部１１７が操作されることによって、可動部１１３が解除位置から取付位置に移動する。
【００４８】
側壁部１１２が縦板部２２に対して隣り合う場合に、スイッチ部１１７が縦板部２２によって操作される。したがって、解除位置にある可動部１１３が２つのドアレール２の間を通過した後に、側壁部１１２が縦板部２２に向かって押されることによって、スイッチ部１１７が操作されて、可動部１１３が解除位置から取付位置に移動する。その他の構成は、実施の形態１、実施の形態２および実施の形態３と同様である。
【００４９】
以上説明したように、この発明の実施の形態４に係るエレベーターのドアレール清掃治具１Ｄによれば、操作されることによって、可動部１１３が解除位置から取付位置に移動するスイッチ部１１７をさらに備えている。これにより、作業者は、スイッチ部１１７を操作することによって、可動部１１３を解除位置から取付位置に容易に移動させることができる。
【００５０】
また、スイッチ部１１７は、側壁部１１２が縦板部２２に対して隣り合う場合に、スイッチ部１１７が縦板部２２によって操作されるように、側壁部１１２に設けられている。したがって、作業者が側壁部１１２を縦板部２２に対して隣り合わせることによって、スイッチ部１１７が操作される。その結果、可動部１１３を解除位置から取付位置に容易に移動させることができる。
【００５１】
なお、実施の形態４では、スイッチ部１１７が縦板部２２によって操作される清掃治具本体１１の構成について説明した。しかしながら、これに限らず、例えば、スイッチ部１１７が作業者によって操作される清掃治具本体１１であってもよい。この場合、例えば、スイッチ部１１７は、柄部１２に設けられる。
【符号の説明】
【００５２】
１Ａ、１Ｂ、１Ｃ、１Ｄ  エレベーターのドアレール清掃治具、２  ドアレール、１１  清掃治具本体、１２  柄部、２１  下板部、２２  縦板部、２３  上板部、１１１  基部、１１２  側壁部、１１３  可動部、１１４  溝、１１５  給油部材、１１６  油流路、１１７  スイッチ部、１２１  小片部。
【要約】
エレベーターのドアレール清掃治具をドアレールにより確実に取り付けることができるエレベーターのドアレール清掃治具を得る。このエレベーターのドアレール清掃治具は、ドアレールの下面に対向して設けられる基部と、基部に設けられ、ドアレールの側面に対向して設けられる側壁部と、側壁部に回転可能に設けられた可動部とを備え、可動部は、可動部が側壁部に対して回転することによって、ドアレールの上面に対向して設けられる取付位置と、側壁部に沿って延びるように設けられる解除位置との間で移動する。【図１】
0006833069.tif 000002
【図２】
0006833069.tif 000003
【図３】
0006833069.tif 000004
【図４】
0006833069.tif 000005
【図５】
0006833069.tif 000006
【図６】
0006833069.tif 000007
【図７】
0006833069.tif 000008
【図８】
0006833069.tif 000009
【図９】
0006833069.tif 000010